(57)【要約】【課題】狭いスペースでも良好な操作性を維持したまま多種類のモード設定を行う。【解決手段】モード設定ボタン３０は、押圧操作される領域を十字状に４分割した１個の円盤状の操作部材３０ａと、領域Ｗ１，Ｗ２，Ｔ１，Ｔ２の各背後に設けられたスイッチＳＷ１〜ＳＷ４とからなる。撮影時、ファインダ１７の視野内で被写体が所望の大きさになるように、モード設定ボタン３０の左側の領域Ｗ１，Ｗ２の両方もしくはどちらか一方を押圧操作して広角側に電動式ズームレンズ１２を変倍するか、右側の領域Ｔ１，Ｔ２の両方もしくはどちらか一方を押圧操作して望遠側に電動式ズームレンズ１２を変倍することができる。一方、モード設定時は、モードシフト操作ボタン３５を押圧してモード設定待機状態にした上で、領域Ｗ１〜Ｔ２を押圧すると、それぞれフォーカスモード設定，ストロボモード設定，露出補正設定，セルフタイマ設定の各モードに入る。【選択図】図１
2007041609.tif 000002
【特許請求の範囲】
【請求項１】
１個の操作部材を放射状に少なくとも３個の領域に分割し、撮影モードの変更操作が許容されたときにいずれかの領域を押圧操作することによって撮影モードの変更を行うカメラにおいて、
前記領域の各々に対する押圧操作を検出する複数個のスイッチと、各スイッチからの信号が撮影モードの変更信号として用いられるようにする状態と互いに隣接した２個以上のスイッチからの信号が同じ信号として用いられるようにする状態とを切り換えるモードシフト操作部とを備えたことを特徴とするカメラ。
【請求項２】
１個の操作部材を放射状に少なくとも３個の領域に分割し、撮影モードの変更操作が許容されたときにいずれかの領域を押圧操作することによって撮影モードの変更を行うカメラにおいて、
前記領域の各々に対する押圧操作を検出する複数個のスイッチと、各スイッチからの信号が撮影モードの変更信号として用いられるようにする状態と前記スイッチを２つのグループに分けて同一グループに含まれる複数個のスイッチからの信号が同じ信号として用いられるようにする状態とを切り換えるモードシフト操作部とを備えたことを特徴とするカメラ。
【請求項３】
互いに近接して配置された少なくとも３個の操作部を備え、撮影モードの変更操作が許容されたときにいずれかの操作部を押圧操作することによって撮影モードの変更を行うカメラにおいて、
前記操作部の各々に対する押圧操作を検出する複数個のスイッチと、各スイッチからの信号が撮影モードの変更信号として用いられるようにする状態と互いに隣接した２個以上のスイッチからの信号が同じ信号として用いられるようにする状態とを切り換えるモードシフト操作部とを備えたことを特徴とするカメラ。
【請求項４】
互いに近接して配置された少なくとも３個の操作部を備え、撮影モードの変更操作が許容されたときにいずれかの操作部を押圧操作することによって撮影モードの変更を行うカメラにおいて、
前記操作部の各々に対する押圧操作を検出する複数個のスイッチと、各スイッチからの信号が撮影モードの変更信号として用いられるようにする状態と前記スイッチを２つのグループに分けて同一グループに含まれる複数個のスイッチからの信号が同じ信号として用いられるようにする状態とを切り換えるモードシフト操作部とを備えたことを特徴とするカメラ。
【発明の詳細な説明】
【技術分野】
【０００１】
本発明は、カメラに関し、更に詳しくは各種のモード設定を操作性よく行うことができるカメラに関するものである。
【背景技術】
【０００２】
近年、電動式ズームレンズの搭載の他、非常に多くの機能を備えたコンパクトカメラが市販されている。この機能としては、各種のフォーカスモードやストロボモードがある。フォーカスモードとしては、例えば従来からのオートフォーカスの他、近接撮影や無限遠撮影時に適したマニュアルフォーカス等がある。また、ストロボモードとしては、例えば撮影前に数回の発光を行って赤目現象を軽減するプレ発光や日中シンクロ撮影等で用いる強制発光等がある。これらのモードを設定するには、各モード別に設けられた小さなボタン等の操作部材をその都度押圧操作する等の方法が採られている。
【発明の開示】
【発明が解決しようとする課題】
【０００３】
ところで、上記モードの種類数は増加の一途を辿っており、各モードを設定するための操作部材も急激に増えている。一方、電動式ズームレンズの変倍操作は頻繁に行われるため、変倍用の操作部材は操作性を良好に維持するため、ある程度の大きさを必要とし、小さくすることができない。したがって、コンパクトカメラでは、各種のモードを設定するための操作部材は、個々のサイズをますます小さくせざるを得なくなり、ボールペンの先で押圧する等、モード設定における操作性が悪化している。
【０００４】
本発明は、狭いスペースでも良好な操作性を維持したまま多種類のモード設定を行うことができるようにしたカメラを提供することを目的とする。
【課題を解決するための手段】
【０００５】
上記目的を達成するために、本発明のカメラは、１個の操作部材を放射状に少なくとも３個の領域に分割し、撮影モードの変更操作が許容されたときにいずれかの領域を押圧操作することによって撮影モードの変更を行うカメラにおいて、前記領域の各々に対する押圧操作を検出する複数個のスイッチと、各スイッチからの信号が撮影モードの変更信号として用いられるようにする状態と互いに隣接した２個以上のスイッチからの信号が同じ信号として用いられるようにする状態とを切り換えるモードシフト操作部とを備えたものである。
【０００６】
また、１個の操作部材を放射状に少なくとも３個の領域に分割し、撮影モードの変更操作が許容されたときにいずれかの領域を押圧操作することによって撮影モードの変更を行うカメラにおいて、前記領域の各々に対する押圧操作を検出する複数個のスイッチと、各スイッチからの信号が撮影モードの変更信号として用いられるようにする状態と前記スイッチを２つのグループに分けて同一グループに含まれる複数個のスイッチからの信号が同じ信号として用いられるようにする状態とを切り換えるモードシフト操作部とを備えてもよい。
【０００７】
さらに、互いに近接して配置された少なくとも３個の操作部を備え、撮影モードの変更操作が許容されたときにいずれかの操作部を押圧操作することによって撮影モードの変更を行うカメラにおいて、前記操作部の各々に対する押圧操作を検出する複数個のスイッチと、各スイッチからの信号が撮影モードの変更信号として用いられるようにする状態と互いに隣接した２個以上のスイッチからの信号が同じ信号として用いられるようにする状態とを切り換えるモードシフト操作部とを備えてもよい。
【０００８】
さらにまた、互いに近接して配置された少なくとも３個の操作部を備え、撮影モードの変更操作が許容されたときにいずれかの操作部を押圧操作することによって撮影モードの変更を行うカメラにおいて、前記操作部の各々に対する押圧操作を検出する複数個のスイッチと、各スイッチからの信号が撮影モードの変更信号として用いられるようにする状態と前記スイッチを２つのグループに分けて同一グループに含まれる複数個のスイッチからの信号が同じ信号として用いられるようにする状態とを切り換えるモードシフト操作部とを備えてもよい。
【発明の効果】
【０００９】
１個の操作部材を少なくとも３個の領域に分割するとともに、各領域に対する押圧操作を検出する複数個のスイッチと、各スイッチからの信号が撮影モードの変更信号として用いられるようにする状態と互いに隣接した２個以上のスイッチからの信号が同じ信号として用いられるようにする状態とを切り換えるモードシフト操作部とを備えたので、通常よく行われる操作に対する操作領域が広くなって操作性が向上する。
【００１０】
また、１個の操作部材を少なくとも３個の領域に分割するとともに、各領域に対する押圧操作を検出する複数個のスイッチと、各スイッチからの信号が撮影モードの変更信号として用いられるようにする状態とスイッチを２つのグループに分けて同一グループに含まれる複数個のスイッチからの信号が同じ信号として用いられるようにする状態とを切り換えるモードシフト操作部とを備えたので、通常よく行われる操作に対する操作領域が広くなって操作性が向上する。
【００１１】
さらに、互いに近接して配置された少なくとも３個の操作部と、この操作部の各々に対する押圧操作を検出する複数個のスイッチと、各スイッチからの信号が撮影モードの変更信号として用いられるようにする状態と互いに隣接した２個以上のスイッチからの信号が同じ信号として用いられるようにする状態とを切り換えるモードシフト操作部とを備えたので、通常よく行われる操作に対して複数の操作部が対応して操作性が向上する。
【００１２】
さらにまた、互いに近接して配置された少なくとも３個の操作部と、この操作部の各々に対する押圧操作を検出する複数個のスイッチと、各スイッチからの信号が撮影モードの変更信号として用いられるようにする状態とスイッチを２つのグループに分けて同一グループに含まれる複数個のスイッチからの信号が同じ信号として用いられるようにする状態とを切り換えるモードシフト操作部とを備えたので、通常よく行われる操作に対して複数の操作部が対応して操作性が向上する。
【発明を実施するための最良の形態】
【００１３】
本発明のカメラの外観を示す図２において、カメラ１０はコンパクト化を図ったもので、未使用状態では撮影レンズが完全にボディ内に隠れた状態に収納されるように、撮影レンズとして鏡胴１１が沈胴式の電動式ズームレンズ１２を採用するとともに、これが最も短く引っ込んだ状態で電動式ズームレンズ１２の前面を開閉するレンズバリア１３を左右方向にスライド自在に設けてある。
【００１４】
電動式ズームレンズ１２を挟んでレンズバリア１３と反対側の前面上部には、ストロボ発光部１５が設けられている。また、レンズバリア１３を開けた際に露呈される電動式ズームレンズ１２の上方には、ストロボ発光部１５側から順番に、ファインダ１７の対物側窓１７ａ，アクティブ方式オートフォーカス用の投光部１８，自動露出用の測光部１９，セルフタイマ表示用のＬＥＤ２０，アクティブ方式オートフォーカス用の受光部２１がそれぞれ配置されている。そして、カメラ本体１４の上部には、シャッタボタン２２が設けられている。
【００１５】
カメラ１０の背面を示す図３において、裏蓋２４の上部左側には、ファインダ１７の接眼窓１７ｂと、測距完了時に点灯されるＬＥＤ２７とが配置され、カメラ１０を構えた状態で右手親指で操作しやすい上部右側には、電動式ズームレンズ１２の変倍を行う他、各種のモード設定を行う際に押圧操作されるモード設定ボタン３０が配置されている。
【００１６】
モード設定ボタン３０は、押圧操作される領域を十字状に４分割した１個の円盤状の操作部材３０ａと、扇形をした領域Ｗ１，Ｗ２，Ｔ１，Ｔ２の各々の背後に設けられた４個のスイッチＳＷ１，ＳＷ２，ＳＷ３，ＳＷ４（図１参照）とからなる。スイッチＳＷ１，ＳＷ２，ＳＷ３，ＳＷ４は、領域Ｗ１，Ｗ２，Ｔ１，Ｔ２の押圧／非押圧によってそれぞれ独立にＯＮ／ＯＦＦされる。なお、図３に示すモード設定ボタン３０の領域Ｗ１，Ｗ２，Ｔ１，Ｔ２の各記号は、説明の都合上便宜的に表記したもので（以下に説明する図１，図４，図５，図１１，図１６，図１８，図２５，図２７も同様）、実際には、各機能を分かりやすく表した記号や文字等のマークを設けるのが好ましい（図３４参照）。
【００１７】
モード設定ボタン３０の周囲には、領域Ｗ１，Ｗ２，Ｔ１，Ｔ２に対応して発光素子であるＬＥＤ３１，３２，３３，３４がそれぞれ配置されている。これらＬＥＤ３１〜３４は、詳しくは後述するように、裏蓋２４の下部に配置されたモードシフト操作ボタン３５を押圧しながらの各種のモード設定に応じて点灯される。そして、各種のモード設定に対応した表示がモードシフト操作ボタン３５の上方に配置された液晶表示板３８に表示される。
【００１８】
また、モードシフト操作ボタン３５の側方には、デートの写し込み形態を変更する際やデートの年月日等を修正する際に押圧操作されるデート変更操作ボタン３９が配置されている。なお、図面の液晶表示板３８には、全ての表示を同時に表示した状態を示しているが、実際にこのような表示になることはない。
【００１９】
カメラ１０の制御系の概略を示す図１において、前記モード設定ボタン３０のスイッチＳＷ１〜ＳＷ４の他、モードシフト操作ボタン３５，デート変更操作ボタン３９の下方にも同様のスイッチＳＷ５，ＳＷ６が配置されている。また、レンズバリア１３の開閉操作に連動してカメラ１０の電源をＯＮ／ＯＦＦするメインスイッチＳＷ７がレンズバリア１３の近傍に設けられている。そして、これらスイッチＳＷ１〜ＳＷ７は、マイクロコンピュータ４０に接続されている。
【００２０】
マイクロコンピュータ４０には、スイッチＳＷ１〜ＳＷ７の他、電動式ズームレンズ１２，ＬＥＤ２０，２７，ＬＥＤ３１〜３４が接続され、また、ストロボ発光部１５を駆動するストロボ装置３６，投光部１８及び受光部２１を前面に備えたオートフォーカスモジュール３７，自動露出用の測光部１９，シャッタボタン２２，液晶表示板３８が接続されている。
【００２１】
以下に、モード設定ボタン３０の各種機能を説明する。図３５のフローチャートに示すように、レンズバリア１３を開け（メインスイッチＳＷ７がＯＮ）、モードシフト操作ボタン３５を押圧操作せず、ＬＥＤ３１〜３４が消灯している待機状態では、モード設定ボタン３０は、電動式ズームレンズ１２の変倍に用いられる。この場合には、スイッチＳＷ１，ＳＷ２のうち少なくとも一方のＯＮ信号は広角側への変倍操作信号として認識され、またスイッチＳＷ３，ＳＷ４のうち少なくとも一方のＯＮ信号は望遠側への変倍操作信号として認識される（図４２のフローチャート）。なお、レンズバリア１３を開けると、鏡胴１１がワイド端に繰り出される。
【００２２】
待機状態からモードシフト操作ボタン３５を押圧すると、図４に示すように、ＬＥＤ３１〜３４の全てが一斉に点灯して、モード設定待機状態になる。このとき、液晶表示板３８の表示は、待機状態と同じ状態が保持される。
【００２３】
モード設定待機状態からモードシフト操作ボタン３５を押圧したまま、例えば領域Ｗ２を押圧する（ＳＷ２ＯＮ）と、図５に示すように、ＬＥＤ３２だけが連続点灯して他のＬＥＤ３１，３３，３４が消灯し、ストロボモード設定に入る（図３６のフローチャート参照）。なお、以下の各モード設定操作は、モードシフト操作ボタン３５を押圧したまま行われる。また、モードシフト操作ボタン３５の押圧を止めたときは、各モードにおける設定が確定するとともに、モード設定待機状態が解除される。
【００２４】
領域Ｗ２を１回押圧する毎に、ストロボモードが現在のモードからマルチプログラムモード（ＭＰ）→プレ発光モード（ＰＲＥ）→強制発光モード（ＯＮ）→発光禁止モード（ＯＦＦ）→逆光補正モード（ＢＬＣ）→夜景モード→マルチプログラムモード（ＭＰ）→・・・の順序に従って変更される（図３７のフローチャート参照）。そして、マルチプログラムモードの場合を除き、各々に対応したマーク４１，４２，４３，４４，４５が、図６に示すように、液晶表示板３８に表示される。なお、液晶表示板３８の下段の左側にはデート４７，右側にはフイルム残りコマ数４８が表示されている。また、上段の右側には、電池残量マーク４９が表示されている。
【００２５】
なお、マルチプログラムモードとは、被写体の明るさや距離などに応じてストロボの光量を自動調節する標準モードで、モード切換を行わない通常状態では、このモードになっている。また、プレ発光モードとは、いわゆる赤目現象を軽減するために撮影の直前に数回連続発光させて目を慣らすモードである。また、逆光補正モードとは、＋１ＥＶ露出補正するモードであって、主要被写体と背景との輝度差から最適の光量を発光するようにしてもよい。
【００２６】
後述するフォーカスモード設定で無限遠モード（ＩＮＦ）またはマニュアルフォーカスモードで無限遠に設定してから、ストロボモードを変更すると、図７に示すように、マルチプログラムモード（ＭＰ）→発光禁止モード（ＯＦＦ）→逆光補正モード（ＢＬＣ）→マルチプログラムモード（ＭＰ）→・・・の順序に従って変更される。なお、符号５１は、フォーカスモード設定で無限遠モード（ＩＮＦ）またはマニュアルフォーカスモードで無限遠に設定された際に表示される山形のマークである。
【００２７】
次に、図４に示すモード設定待機状態から、領域Ｔ２を押圧する（ＳＷ４ＯＮ）と、ＬＥＤ３４だけが連続点灯して他のＬＥＤ３１，３２，３３が消灯し、セルフタイマモード設定に入る（図３６のフローチャート参照）。セルフタイマモード設定に入ってから領域Ｔ２を押圧すると、図８に示すように、領域Ｔ２の押圧毎に、セルフタイマモードが現在の設定状態からノーマルモード→セルフ１モード→セルフ２モード→セルフ３モード→ノーマルモード→・・・の順序に従って変更される（図３８のフローチャート参照）。また、セルフタイマモード設定に入ると、液晶表示板３８には、セルフタイママーク５３が表示される。
【００２８】
また、セルフ１モード，セルフ２モード，セルフ３モードの各数字１，２，３は、セルフタイマによって連続的に撮影されるコマ数を示しており、このコマ数を示す数字５５がフイルム残りコマ数４８の代わりに液晶表示板３８に表示される。勿論、セルフタイマによって連続的に撮影されるコマ数は、フイルム残りコマ数を越えることができないから、例えばフイルム残りコマ数が２枚の場合には、図９に示すように、モード設定待機状態から領域Ｔ２を押圧する毎に、セルフタイマモードは現在の設定状態からノーマルモード→セルフ１モード→セルフ２モード→ノーマルモード→・・・の順序に従って変更され、セルフ３モードは表示されない。
【００２９】
次に、モード設定待機状態から領域Ｗ１を押圧すると（ＳＷ１がＯＮ）、ＬＥＤ３１が連続点灯したままＬＥＤ３２，３３，３４が消灯し、フォーカスモード設定に入る。このフォーカスモード設定に入ると、領域Ｗ１を押圧する毎に、フォーカスモードが現在の設定状態からオートフォーカスモード（ＡＦ）→無限遠モード（ＩＮＦ）→マニュアルフォーカスモード（ＭＦ）→オートフォーカスモード（ＡＦ）→・・・の順序に従って変更される。これに従って、液晶表示板３８には、図１０に示すように、無限遠モードでは山形のマーク５１，マニュアルフォーカスモードでは文字「ＭＦ」を白抜きにしたマーク５７が表示される。また、マニュアルフォーカスモード設定時には、マーク５７が表示される他、デート４７の代わりに、設定されてある撮影距離（以下、設定距離という）ＬＭが点滅表示され、更に、図１１に示すように、ＬＥＤ３２，３４が例えば点滅周波数２Ｈｚで点滅される。なお、前記設定距離のデフォルト値は、２．０ｍである。
【００３０】
また、ストロボモードがプレ発光モード，強制発光モード，夜景モードのいずれかに設定されている場合に、図１２に示すように、無限遠モードまたはマニュアルフォーカスモードに切り換えると、ストロボモードはマルチプログラムモードに変更され、そのままフォーカスモード設定を終了すると、ストロボモードはマルチプログラムモードに確定される。なお、フォーカスモード設定を終了する前に、設定距離ＬＭが無限遠以外のマニュアルフォーカスモードに切り換えた場合は、もとのストロボモード（図１２に示す例ではプレ発光モード）に復帰する。
【００３１】
マニュアルフォーカスモード設定状態において、点滅しているＬＥＤ３２，３４に対応したモード設定ボタン３０の領域Ｗ２または領域Ｔ２を押圧することにより、設定距離ＬＭを変更できる。領域Ｔ２を押圧すると（ＳＷ４ＯＮ）、設定距離ＬＭが長くなり、領域Ｗ２を押圧すると（ＳＷ２ＯＮ）、設定距離ＬＭが短くなる（図３９のフローチャート参照）。この設定距離ＬＭは、フォーカスモードが変更されるまでは、その値がそのまま保持され、フォーカスモードが変更されると、図１３に示すように、例えば２．０ｍに初期化される。また、領域Ｔ２または領域Ｗ２を例えば１秒以上継続して押圧すると、設定距離ＬＭが例えば０．５秒周期でアップ／ダウンされる。また、設定距離ＬＭが上限値（∞）／下限値（例えば０．８ｍ）に達した場合には、それぞれダウン／アップ操作のみ受け付ける。なお、下限値については、その時点での焦点距離（変倍によって変わる）に応じて決まる値である。
【００３２】
フォーカスモードはオートフォーカスがデフォルトのモードになっており、他のフォーカスモードに設定されていても、通常はレリーズ完了毎にオートフォーカスモードに復帰される。しかし、無限遠モードまたはマニュアルフォーカスモードに切り換えた状態で、領域Ｗ１を３秒間押圧したままにすると、図１４に示すように、液晶表示板３８のフォーカスモードの表示（この場合は無限遠を示すマーク５１）が２Ｈｚで点滅表示され、レリーズ完了毎にオートフォーカスモードに復帰しないラッチモードとなる。このラッチモードは、レンズバリア１３を閉じることにより、または、再びフォーカスモードを設定しなおすことにより解除される。なお、ラッチモードにおけるフォーカスモードを表示するマーク（この実施形態ではマーク５１）の点滅表示は、ラッチモードが解除されるまで継続される。
【００３３】
マニュアルフォーカスモードに設定された状態で、領域Ｗ１を押圧する（ＳＷ１ＯＮ）と、フォーカスモード設定状態となり、図１５に示すように、マニュアルフォーカスモードを保持したまま、デート４７の代わりに、現在の設定距離ＬＭ，例えば１．２ｍが点滅表示され、ＬＥＤ３１〜ＬＥＤ３４は図１１の状態になり、設定距離ＬＭを変更可能になる。以降、領域Ｗ１を押圧する毎に、マニュアルフォーカスモード（ＭＦ）→オートフォーカスモード（ＡＦ）→無限遠モード（ＩＮＦ）→マニュアルフォーカスモード（ＭＦ）→・・・の順序に従って変更される。なお、領域Ｗ１の１度目の押圧操作では、現在の設定距離ＬＭの表示のみが行われ、モードの変更は行われない。
【００３４】
次に、モード設定待機状態から領域Ｔ１を押圧する（ＳＷ３ＯＮ）と、図１６に示すように、ＬＥＤ３３が連続点灯するとともに、ＬＥＤ３１は消灯し、ＬＥＤ３２，３４は２Ｈｚで点滅して、露出補正設定モードがＯＮ状態になる（図３６のフローチャート参照）。これと同時に、図１７に示すように、液晶表示板３８のデート４７が消えて、この位置に露出補正値６１が点滅表示される。そして、領域Ｔ１を押圧する毎に、露出補正値６１が点滅表示される露出補正設定モードがＯＮの状態と、デート４７が点灯表示されるＯＦＦの状態とが交互に切り換わる。なお、露出補正設定モードがＯＮの状態では、フイルム残りコマ数４８と電池残量マーク４９との間に露出補正マーク６３が表示される。また、露出補正設定モードがＯＦＦの状態では、図１８に示すように、ＬＥＤ３３のみが点灯される。
【００３５】
前記露出補正値６１を変更するには、図１６に示す露出補正設定モードがＯＮ状態のときに、領域Ｔ２もしくは領域Ｗ２を押圧する。図１９に示すように、領域Ｔ２を押圧すると、露出補正値６１がアップし、領域Ｗ２を押圧すると、露出補正値６１がダウンする（図４０のフローチャート参照）。なお、露出補正値６１のアップ／ダウンは、０．５ＥＶステップで行われ、上限／下限である＋２．０／−２．０で停止される。また、設定した露出補正値６１は、露出補正設定モードがＯＮ状態の間はそのまま保持されるが、露出補正設定モードをＯＦＦにすると、デフォルトである「０．０」ＥＶに初期化される。
【００３６】
また、図２０に示すように、露出補正設定モードがＯＮ状態で露出補正値６１を「０．０」ＥＶにして、モードシフト操作ボタン３５を離し、設定操作を終了した場合、露出補正設定モードはＯＦＦになる。
【００３７】
また、図２１に示すように、露出補正設定モードがＯＮ状態で、領域Ｔ１を３秒間押圧したままにすると、露出補正値６１，露出補正マーク６３が２Ｈｚで点滅表示され、ラッチモードになる。この場合、レリーズ動作完了による露出補正値６１のリセットは行われず、レンズバリア１３の閉じ操作によるメインスイッチのＯＦＦにより露出補正値６１のリセットが行われる。なお、露出補正マーク６３の点滅表示は、設定操作終了後の待機状態においても継続され、露出補正値６１はデート４７になる。
【００３８】
また、露出補正設定モードがＯＮ状態の待機状態から露出補正値６１の変更操作が行われた場合には、領域Ｔ１を押圧することにより、図２２に示すように、露出補正マーク６３が表示されたまま、デート４７が消えて、この代わりに現在の露出補正値６１が表示される。以降、領域Ｔ１を押圧する毎に、現在の状態から露出補正設定モードのＯＮ／ＯＦＦが交互に切り換えられる。なお、１度目の領域Ｔ１の押圧では、露出補正設定モードのＯＮ／ＯＦＦは行われない。
【００３９】
次に、待機状態からデート変更操作ボタン３９を押圧する（ＳＷ６ＯＮ）と、図２３に示すように、デートの写し込み形態を変更するデート設定モードに入る（図３５のフローチャート参照）。このモードに入ってからデート変更操作ボタン３９を押圧する毎に、デート４７の表示形態が年月日→月日年→日月年→日時分→ＯＦＦ→年月日→・・・の順序に従って変更される。なお、「日時分」の表示形態では、デジタル時計６５が表示される。
【００４０】
デート４７を修正するには、図４１のフローチャートに示すように、デート設定モードに入ってからデート変更操作ボタン３９を２秒間押圧したままにする。すると、デート修正状態に入り、図２４に示すように、デート４７の表示形態が「年月日」になるとともに、「年」の桁が２Ｈｚで点滅表示され、時計計時が停止する。以降、デート変更操作ボタン３９を押圧する（ＳＷ６ＯＮ）毎に、年→月→日→時→の順に修正桁（点滅桁）が変更され、最後の修正桁である分を修正した後、デート変更操作ボタン３９を押圧すると、デート修正状態は終了し、デフォルトである「年月日」表示形態になり、時計計時が再開される。なお、秒は「０」からスタートする。また、デート修正状態で修正操作を行わずに５分経過すると、鏡胴１１が沈胴し、ＬＥＤ３１〜３４が消灯するとともに、液晶表示板３８の表示が消える。
【００４１】
デート修正状態では、図２５に示すように、ＬＥＤ３２，３４が２Ｈｚで点滅する。領域Ｔ２もしくは領域Ｗ２を押圧すると、液晶表示板３８に点滅表示されている桁の数値を変更できる。領域Ｔ２を押圧すると、桁の数値が大きくなり、領域Ｗ２を押圧すると、桁の数値が小さくなる。領域Ｔ２または領域Ｗ２を１秒以上継続して押圧していると、１２５ｍｓ毎に桁の数値が変更する。桁の数値が各桁毎に定められた上限／下限に達した場合は、それぞれ下限値／上限値に戻る。例えば、「日」の桁の場合、・・・→３０→３１→１→・・・となる。なお、図２６に示すように、設定された「年月」に対して存在しない「日」を設定した場合は、デート修正状態が終了した時点で、「日」の桁が「１」に修正される。
【００４２】
セルフタイマモード設定でセルフ１モード，セルフ２モード，セルフ３モードのいずれかに設定した後、シャッタボタン２２を全押しすると、セルフタイマ表示ＬＥＤ２０とＬＥＤ３４が点灯し、セルフタイマが動作を開始する。セルフタイマの動作開始後、７秒経過すると、セルフタイマ表示ＬＥＤ２０とＬＥＤ３４は２Ｈｚの点滅表示に切り換わり（図２７参照）、更に３秒経過した後、カメラ１０のシャッタが作動する。このセルフタイマ動作を途中解除する場合には、レンズバリア１３を閉じるか、領域Ｔ２を押圧する。
【００４３】
フォーカスモードがマニュアルフォーカスに設定された状態または露出補正が設定された状態で、シャッタボタン２２を半押し操作すると、測光，鏡胴繰り出し等の動作が完了し、シャッタボタン２２の全押し待ち状態になった時点で、ＬＥＤ２７が点灯表示されるとともに、図２８に示すように、設定距離ＬＭまたは露出補正設定値が表示される。この表示状態は、シャッタボタン２２の押圧解除またはレリーズ完了まで継続される（図４３のフローチャート参照）。
【００４４】
図２９に示すように、マニュアルフォーカスと露出補正がともに設定されている場合に、シャッタボタン２２を半押し操作すると、デート４７の表示が消えて、この代わりに設定距離ＬＭと露出補正値６１とが交互に表示される。なお、この表示期間を０．５秒，非表示期間を０．２５秒とする。
【００４５】
図３０に示すように、フォーカスモードがマニュアルフォーカスに設定されている場合に、変倍操作を行い、焦点距離を変更すると、この焦点距離によっては、変倍操作開始前の設定距離ＬＭがマニュアルフォーカスの設定可能範囲外になることがある。このような場合には、設定距離ＬＭが液晶表示板３８に２Ｈｚで点滅表示される。ただし、その後、給送動作，ストロボ充電，変倍操作を行った場合には、その間は、設定距離ＬＭの表示からデート４７の表示に戻る。
【００４６】
設定距離ＬＭがマニュアルフォーカスの設定可能範囲外になり、設定距離ＬＭが点滅表示されているマニュアルフォーカス設定距離範囲外警告状態で、モードシフト操作ボタン３５またはデート変更操作ボタン３９を押圧すると、図３１に示すように、液晶表示板３８はデート４７が表示される通常状態に戻り、各モード設定に従った表示が行われる。各モード設定が終了した時点で、マニュアルフォーカス設定距離範囲外警告状態のままであれば、各モード設定に入る前と同じに設定距離ＬＭが２Ｈｚで点滅表示される。
【００４７】
図３２に示すように、マニュアルフォーカス設定距離範囲外警告状態で、モードシフト操作ボタン３５を押圧してフォーカスモードの変更操作を行った場合は、マニュアルフォーカスモードに復帰した時点で、設定範囲外の設定距離ＬＭが設定範囲内の限界値，例えば０．８ｍに丸め込まれる。
【００４８】
図３３に示すように、マニュアルフォーカス設定距離範囲外警告状態で、シャッタボタン２２を半押しした場合には、シャッタボタン２２を半押しした直後に液晶表示板３８の表示は通常表示になって測光が行われる。そして、ＬＥＤ２７が８Ｈｚで点滅表示されるとともに、マニュアルフォーカスの設定距離ＬＭが２Ｈｚで点滅表示され、シャッタボタン２２の全押し待ち状態になる。ただし、設定距離ＬＭの点滅表示は、シャッタボタン２２の全押し待ちの間のみ行われ、レリーズ動作に入った時点で設定距離ＬＭが設定範囲内の限界値，例えば０．８ｍに変更され、点灯表示に変わる。また、マニュアルフォーカスとともに露出補正が設定されている場合には、マニュアルフォーカス設定距離範囲外警告表示が優先され、露出補正値６１の表示は行われない。この後、シャッタボタン２２を全押しすると、この時点の焦点距離における最短撮影距離に基づいてピント合わせが行われた後、シャッタが開閉される（図４３のフローチャート参照）。
【００４９】
このように構成されたカメラ１０を使用するには、フイルム装填を行った後、レンズバリア１３を開け、被写体に電動式ズームレンズ１２を向けてファインダ１７を覗く。ファインダ１７の視野内で被写体が所望の大きさになるように、カメラ１０を構えたまま親指でモード設定ボタン３０の左側の領域Ｗ１，Ｗ２の両方もしくはどちらか一方を押圧操作して広角側に電動式ズームレンズ１２を変倍するか、右側の領域Ｔ１，Ｔ２の両方もしくはどちらか一方を押圧操作して望遠側に電動式ズームレンズ１２を変倍する（図４２のフローチャート参照）。このとき、同じ変倍方向への操作領域が複数個（２個）になるから、変倍操作の自由度が増し、変倍操作がし易くなる。また、隣合う２個を合わせた広い領域を用いて変倍操作を行うから、操作性のよい変倍操作を行うことができる。
【００５０】
次に、モード設定を行うには、まずモード設定ボタン３０をなんら操作していない待機状態からモードシフト操作ボタン３５を押圧（ＳＷ５ＯＮ）してモード設定待機状態に入る（図３５のフローチャート参照）。これにより、ＬＥＤ３１〜３４の全てが一斉に点灯するから、更にモードシフト操作ボタン３５を押圧しながら、領域Ｗ１，Ｗ２，Ｔ１，Ｔ２の何れかを押圧する。
【００５１】
領域Ｗ１を押圧する（ＳＷ１ＯＮ）とフォーカスモード設定，領域Ｗ２を押圧する（ＳＷ２ＯＮ）とストロボモード設定，領域Ｔ１を押圧する（ＳＷ３ＯＮ）と露出補正設定，領域Ｔ２を押圧する（ＳＷ４ＯＮ）とセルフタイマ設定の各モードに入る（図３６のフローチャート参照）。これと同時に、各押圧領域に対応したＬＥＤ３１〜３４の何れか１個のみを残して他の３個が消灯するから、押圧した、またこれから押圧すべき領域を確認できる。このとき、押圧すべき領域を間違えた場合には、一旦モードシフト操作ボタン３５の押圧を解除（ＳＷ５ＯＦＦ）してから再びモードシフト操作ボタン３５を押圧（ＳＷ５ＯＮ）しながら別の領域を押圧すれば、前に押圧した領域のＬＥＤは消灯し、新たに押圧した領域に対応するＬＥＤのみが点灯する。
【００５２】
例えば、ストロボモードをデフォルトのマルチプログラムモードから強制発光モードに変更したい場合には、モードシフト操作ボタン３５を押圧（ＳＷ５ＯＮ）しながら、領域Ｗ２を押圧する（ＳＷ２ＯＮ）。そして、モードシフト操作ボタン３５を押圧したまま、更に領域Ｗ２を２回押圧すると、ストロボモードがマルチプログラムモードからプレ発光モードを経て強制発光モードに切り換わる。このとき、液晶表示板３８に雷形状のマーク４２（図６参照）が表示され、強制発光モードになっている状態が示される。この状態から、シャッタボタン２２を押し下げれば、ストロボ発光部１５からストロボ光が強制的に発光されるとともに、シャッタが開閉してアパーチャにセットされた写真フイルムに被写体画像が露光される。
【００５３】
次に、例えばフォーカスモードをデフォルトのオートフォーカスモードからマニュアルフォーカスモードに変更する。モード設定待機状態から領域Ｗ１を押圧する（ＳＷ１ＯＮ）と、ＬＥＤ３１が点灯してフォーカスモード設定に入るから、更にモードシフト操作ボタン３５を押圧したまま、領域Ｗ１を２度押圧する。液晶表示板３８には、山形状のマーク５１が一瞬間表示されてから、「ＭＦ」文字を白抜きにしたマーク５７の表示に変わり、同時に設定距離ＬＭが点滅表示される。また、同時にＬＥＤ３２，３４が点滅し、領域Ｗ２，Ｔ２が押圧可能であることが表示される。以下、図４４のフローチャートを参照しながら説明する。
【００５４】
領域Ｗ２を押圧すると、設定距離ＬＭが小さくなり、また領域Ｔ２を押圧すると、設定距離ＬＭが大きくなるから、所望の設定距離ＬＭが液晶表示板３８に表示された時点で領域Ｗ２，Ｔ２の押圧操作を止めると、設定距離ＬＭが液晶表示板３８に点灯表示される。変倍操作を行わない状態では、焦点距離が一定であるから設定距離ＬＭが変更できる範囲も一定になり、この範囲内のみで領域Ｗ２，Ｔ２の押圧操作ができるようになっている。
【００５５】
変倍操作を行うと、マイクロコンピュータ４０は、電動式ズームレンズ１２の変倍レンズの位置を検出し、これに対応した変倍位置データをデータ記憶領域（図示せず）から読み込み、更にこの変倍位置データに対応した最短撮影距離Ｌｚを別のデータ記憶領域（図示せず）から読み込む。更に、マイクロコンピュータ４０は、設定距離ＬＭを読み込んだ後、ＬＭとＬｚとを比較し、ＬＭ≧Ｌｚの場合には、フラグ（ＦＬ）を「０」とし、ＬＭ＜Ｌｚの場合には、ピント合わせができないから、フラグを「１」にした後、設定距離ＬＭの変更を促すように、設定距離ＬＭを点滅表示する（図３０参照）。
【００５６】
設定距離ＬＭが液晶表示板３８に点滅表示された状態から、設定距離ＬＭの変更を開始すると、マイクロコンピュータ４０は、設定距離ＬＭを最短撮影距離Ｌｚに変更した後、設定距離ＬＭの変更を受け入れる。
【００５７】
シャッタボタン２２を半押しすると、液晶表示板３８の表示はデート４７が表示された通常状態に戻り、測光部１９からの測光データがマイクロコンピュータ４０で処理され、シャッタ速度，絞りが設定される。この後、再び液晶表示板３８の表示はデート４７から設定距離ＬＭになり、フラグが「０」のときは、設定距離ＬＭが点灯表示されるとともに、設定距離ＬＭに基づいて電動式ズームレンズ１２が駆動されてピント合わせが行われる。また、フラグが「１」のときは、ＬＥＤ２７が８Ｈｚで、また設定距離ＬＭが２Ｈｚでそれぞれ点滅表示されるとともに、最短撮影距離Ｌｚに基づいて、電動式ズームレンズ１２が駆動されてピント合わせが行われる。そして、この後シャッタボタン２２を全押しすると、シャッタが開閉される。
【００５８】
上記モード設定ボタン３０の領域Ｗ１，Ｗ２，Ｔ１，Ｔ２の各記号は、説明の都合上便宜的に表記したものであったが、図３４に示すように、モード設定ボタン３０の各機能を分かりやすく表した変倍マーク７１，７２，モードマーク７３〜７６及び加算マーク７７，減算マーク７８をモード設定ボタン３０の表面や裏蓋２４のモード設定ボタン３０周辺部に設けることが好ましい。
【００５９】
変倍マーク７１，７２は変倍操作時に押圧操作される領域を示しているが、変倍マーク７１は２個の領域Ｗ１，Ｗ２に跨がって設けられ、変倍マーク７２は２個の領域Ｔ１，Ｔ２に跨がって設けられている。これにより、変倍マーク７１が設けられた部位を押圧することにより、２個の領域Ｗ１，Ｗ２のうち少なくともどちらか一方が押圧され、スイッチＳＷ１，ＳＷ２のうち少なくともどちらか一方がＯＮされるから、確実に広角側への変倍が行われる。また同様に、変倍マーク７２が設けられた部位を押圧することにより、２個の領域Ｔ１，Ｔ２のうち少なくともどちらか一方が押圧され、スイッチＳＷ３，ＳＷ４のうち少なくともどちらか一方がＯＮされるから、確実に望遠側への変倍が行われる。
【００６０】
また、モードマーク７３はストロボモード設定，モードマーク７４はセルフタイマモード設定，モードマーク７５は露出補正設定モード，モードマーク７６はフォーカスモード設定の各時に押圧される領域を示している。また、加算マーク７７，減算マーク７８は、露出補正設定モード，マニュアルフォーカスモード及びデート設定モード時のデート修正状態の各時に、モードマーク７３，７４で示す領域を押圧することにより、各モードに係る値を増減できることを示している。
【００６１】
次に、上記モード設定ボタン３０の構造の一例を図４５ないし図４８を参照して説明する。操作部材３０ａの下方には、上面に絶縁性樹脂製のカバー層８１（図４５参照）を形成したフレキシブル基板８２（図４６参照）が配設されている。このフレキシブル基板８２には、前記領域Ｗ１，Ｗ２，Ｔ１，Ｔ２に対応した位置にそれぞれ電極８４，８５，８６，８７が設けられ、各周囲に設けられた導体部８９との短絡，非短絡により、前記ＳＷ１，２，３，４を構成する。また、領域Ｗ１，Ｗ２，Ｔ１，Ｔ２の外方に対応したフレキシブル基板８２の各位置には、ＬＥＤ３１〜３４が取り付けられる端子９１〜９８が設けられている。
【００６２】
電極８４〜８７と導体部８９との短絡，非短絡には、カバー層８１の上に設けられた電気接片９９が用いられる。この電気接片９９は、電極８４〜８７の各々に対面される円板状のクリック板９９ａ〜９９ｄが細いアーム部を介して中央で連結された形状となっている。クリック板９９ａ〜９９ｄは、周辺部が導体部８９に接触しているとともに、各中央部が碗状に膨らんだ形状に形成され、それぞれ電極８４〜８７と離間されている。
【００６３】
操作部材３０ａの下面には、クリック板９９ａ〜９９ｄに相対する各位置に突起状の押下部１０１が形成してあり、操作部材３０ａの領域Ｗ１，Ｗ２，Ｔ１，Ｔ２を押圧することにより、押下部１０１によってクリック板９９ａ〜９９ｄの中央部が弾性変形して電極８４〜８７に接触される。なお、操作部材３０ａの下面には、押下部１０１に隣接する押下部１０１との間に、内枠１０２側に突出した同時押下防止用の突起部１０３が設けられている。
【００６４】
操作部材３０ａは、中央部に形成された貫通孔１０４を介して内枠１０２に立設されたボス１０２ａに挿通され、ネジ状の保持部材１０５によって抜け止めされている。また、操作部材３０ａは、板ばね１０６によって電気接片９９から離れる方向に付勢されている。なお、操作部材３０ａの表面には、保持部材１０５を覆い隠すボタンカバー１０７が装着されている。また、ＬＥＤ３１〜３４に対応する裏蓋２４には、それぞれ小さな開口１０８が形成され、これにＬＥＤ３１〜３４の光を透過する例えば赤色の透明プラスチック１０９が嵌め込まれている。
【００６５】
カバー層８１及びフレキシブル基板８２の中央部には、ボス１０２ａに挿通されるとともに、操作部材３０ａの突起部１０３が遊嵌される十字形状の開口８１ａ，８２ａが形成されている。また、クリック板９９ａ〜９９ｄに対応した位置には、半円形の開口８１ｂ〜８１ｅが形成されている。また、開口８１ｂ〜８１ｅの外方には、それぞれ一対ずつの小穴が形成されており、これらを介して端子９１〜９８にＬＥＤ３１〜３４がハンダ付けされている。
【００６６】
このように構成されたモード設定ボタン３０の例えば領域Ｗ１を指等で押し下げると、操作部材３０ａは保持部材１０５を挟んで反対側の操作部材３０ａの上面と保持部材１０５のフランジ部１０５ａの下面が接触している位置を中心として回動する。これにより押し下げられた押下部材１０１によりクリック板９９ａの中央部が弾性変形して電極８４に接触し、電極８４が導体部８９と短絡してＳＷ１がＯＮ状態となる。モード設定ボタン３０を押し下げている指等を離すと、クリック板９９ａの弾性変形が元の状態に復帰するとともに、板ばね１０６により操作部材３０ａが押し上げられて元の位置に復帰する。
【００６７】
また、図４９に示すように、モード設定ボタンの操作部材を光透過性（透明または半透明）の樹脂で成形し、この操作部材１１１の背後にＬＥＤ３１〜３４を配置してもよい。この場合には、操作部材の周りにＬＥＤを配置するスペースが不要となるとともに、操作部材１１１が拡散板の役目をして視認性が高くなり、操作性がより向上する。
【００６８】
また、図５０に示すように、モード設定ボタンを１個の操作部材でなく、複数個の操作部から構成してもよい。（Ａ）に示すモード設定ボタン１１４は４個の操作部１１５，１１６，１１７，１１８から構成し、（Ｂ）に示すモード設定ボタン１１９は３個の操作部１２０，１２１，１２２から構成したものである。なお、操作部１２２の背後に設けるスイッチは、１個でもよいが、前記スイッチＳＷ３，ＳＷ４を配置してもよい。また、操作部１１５〜１１８，１２０〜１２２の近傍には、上記実施形態と同様にＬＥＤ３１〜３４を配置する。また、操作部１１５〜１１８，１２０〜１２２を光透過性の樹脂で成形し、各操作部の背後にそれぞれＬＥＤを配置してもよい。
【００６９】
以上説明した実施形態では、モード設定ボタンの押圧操作領域を十字状の４分割にしたため、左右の各２領域を合わせた広い領域を変倍操作の操作領域とすることができ、きわめて操作性の高いモード設定ボタンとすることができた。また、モード設定ボタンの押圧操作領域を十字状の４分割にしたことにより、上側の領域Ｗ１，Ｔ１を高速変倍用，下側の領域Ｗ２，Ｔ２を低速変倍用として用いることができる。また、左右の領域で変倍操作を行ったが、上下の領域で行ってもよい。
【００７０】
また、本発明に係るモード設定ボタンは、全体を１つの領域として扱うこともできる。すなわち、モードシフト操作ボタンの操作によりスイッチＳＷ１〜４が全て同じ信号を送出するモードを設定し、このモードに切り換えた場合には領域Ｗ１〜Ｔ２のいずれかを押圧している間だけ例えばピント位置を固定する等の動作を行うようにしてもよい。
【００７１】
なお、本発明は、モード設定ボタンの操作領域の分割数を４分割に限定することなく、例えば３分割，５分割，６分割等でもよい。この場合、モード設定ボタンをカメラの背面に配置した場合には左右の領域、また上面に配置した場合には前後の領域を変倍操作用の領域とするのがよい。また、本発明に係るモードの種類や数は、上記の種類や数に限定されないのは勿論である。また、モード設定ボタンの形状は円形としたが、本発明はこれに限定されることなく、例えば正方形等の多角形でもよい。
【００７２】
また、上記実施形態では、モード設定はモードシフト操作ボタンを押しながら行っていたが、モードシフト操作ボタンを１度押すことによって、モード設定待機状態にラッチされ、この状態でモードを選択し、再度モードシフト操作ボタンを押すことによって、選択されたモードが設定されるようにしてもよい。この場合はモードシフト操作ボタンを押しながら操作するという煩わしさがないという利点がある。
【００７３】
また、上記実施形態は、ズームレンズとして電動式を用いたが、マニュアル式でもよい。この場合には、上記モード設定ボタンをモード設定専用に用いることができ、モードシフト操作ボタンとの併用で多種類のモード設定を行うことができる。
【図面の簡単な説明】
【００７４】
【図１】本発明のカメラの制御系の概略を示すブロック図である。
【図２】カメラの外観斜視図である。
【図３】カメラの背面を示す概略図である。
【図４】モード設定待機状態のモード設定ボタンを示す説明図である。
【図５】ストロボモード設定状態のモード設定ボタンを示す説明図である。
【図６】ストロボモード設定状態でストロボモードの変更によって変化する液晶表示板の表示を示す説明図である。
【図７】フォーカスモード設定で無限遠に設定した状態でストロボモードの変更によって変化する液晶表示板の表示を示す説明図である。
【図８】セルフタイマ設定における液晶表示板の表示を示す説明図である。
【図９】セルフタイマ設定でフイルム残りコマ数が２枚の場合の液晶表示板の表示を示す説明図である。
【図１０】フォーカスモード設定における液晶表示板の表示を示す説明図である。
【図１１】マニュアルフォーカスモード設定時のＬＥＤ表示を示す説明図である。
【図１２】ストロボモードがプレ発光に設定された状態で無限遠に切り換えた場合の液晶表示板の表示を示す説明図である。
【図１３】マニュアルフォーカスモードで設定距離を初期値から無限遠に変更した場合の液晶表示板の表示を示す説明図である。
【図１４】無限遠のラッチモードにした場合の液晶表示板の表示を示す説明図である。
【図１５】マニュアルフォーカスモードのままフォーカスモード設定状態にした場合の液晶表示板の表示を示す説明図である。
【図１６】露出補正設定状態のＬＥＤ表示を示す説明図である。
【図１７】露出補正設定状態の液晶表示板の表示を示す説明図である。
【図１８】露出補正設定がＯＦＦ状態のＬＥＤ表示を示す説明図である。
【図１９】露出補正値を変更する様子を示す液晶表示板の表示を示す説明図である。
【図２０】露出補正値を「０．０」ＥＶにして設定終了した際の液晶表示板の表示を示す説明図である。
【図２１】露出補正設定におけるラッチモードの液晶表示板の表示を示す説明図である。
【図２２】露出補正設定のＯＮ／ＯＦＦを行う際の液晶表示板の表示を示す説明図である。
【図２３】デート写し込みモードにおける液晶表示板の表示を示す説明図である。
【図２４】デート修正状態における液晶表示板の表示を示す説明図である。
【図２５】デート修正に際して押圧されるモード設定ボタンの領域を示す説明図である。
【図２６】デート修正状態において存在しない日を設定した場合の液晶表示板の表示を示す説明図である。
【図２７】セルフタイマ動作時に点滅されるＬＥＤを示す説明図である。
【図２８】マニュアルフォーカス時のシャッタボタン全押し待ち状態を示す液晶表示板の表示を示す説明図である。
【図２９】マニュアルフォーカスと露出補正がともに設定されている場合の液晶表示板の表示を示す説明図である。
【図３０】変倍操作開始前の設定距離がマニュアルフォーカスの設定可能範囲外になった場合の液晶表示板の表示を示す説明図である。
【図３１】マニュアルフォーカス設定距離範囲外警告状態でモードシフト操作ボタンを押圧した場合の液晶表示板の表示を示す説明図である。
【図３２】マニュアルフォーカス設定距離範囲外警告状態からフォーカスモードの変更操作を行った場合の液晶表示板の表示を示す説明図である。
【図３３】マニュアルフォーカス設定距離範囲外警告状態からシャッタボタンを半押ししてシャッタボタンの全押し待ち状態になった場合の液晶表示板の表示を示す説明図である。
【図３４】モード設定ボタンの記号例を示す説明図である。
【図３５】メインスイッチがＯＮになった後のシーケンスを示すフローチャートである。
【図３６】モード設定処理のシーケンスを示すフローチャートである。
【図３７】ストロボモード設定のシーケンスを示すフローチャートである。
【図３８】セルフタイマモード設定のシーケンスを示すフローチャートである。
【図３９】フォーカスモード設定のシーケンスを示すフローチャートである。
【図４０】露出補正設定のシーケンスを示すフローチャートである。
【図４１】デート設定のシーケンスを示すフローチャートである。
【図４２】ズーム処理のシーケンスを示すフローチャートである。
【図４３】レリーズ処理のシーケンスを示すフローチャートである。
【図４４】マニュアルフォーカスモード時のシーケンスを示すフローチャートである。
【図４５】モード設定ボタンを構成するフレキシブル基板を覆うカバーと電気接片を示す平面図である。
【図４６】モード設定ボタンを構成するフレキシブル基板を示す平面図である。
【図４７】モード設定ボタンの構造を示す図４５のＡ−Ａ断面図である。
【図４８】図４７に示す状態から操作部材を操作した状態を示す断面図である。
【図４９】操作部材を光透過性の樹脂で成形したモード設定ボタンの実施形態を示す説明図である。
【図５０】モード設定ボタンを複数個の操作部から構成した実施形態を示す説明図である。
【符号の説明】
【００７５】
１０  カメラ
１２  電動式ズームレンズ
１３  レンズバリア
２２  シャッタボタン
２４  裏蓋
３０，１１４，１１９  モード設定ボタン
３０ａ，１１１  操作部材
３１〜３４  ＬＥＤ
３５  モードシフト操作ボタン
３８  液晶表示板
３９  デート変更操作ボタン
４０  マイクロコンピュータ
４１〜４５，５１  マーク
４７  デート
６１  露出補正値
７１，７２  変倍マーク
７３〜７６  モードマーク
７７  加算マーク
７８  減算マーク
８１  カバー
８２  フレキシブル基板
９９  電気接片
１１５〜１１８，１２０〜１２２  操作部
ＬＭ    設定距離
Ｌｚ  最短撮影距離
【図１】
2007041609.tif 000003
【図２】
2007041609.tif 000004
【図３】
2007041609.tif 000005
【図４】
2007041609.tif 000006
【図５】
2007041609.tif 000007
【図６】
2007041609.tif 000008
【図７】
2007041609.tif 000009
【図８】
2007041609.tif 000010
【図９】
2007041609.tif 000011
【図１０】
2007041609.tif 000012
【図１１】
2007041609.tif 000013
【図１２】
2007041609.tif 000014
【図１３】
2007041609.tif 000015
【図１４】
2007041609.tif 000016
【図１５】
2007041609.tif 000017
【図１６】
2007041609.tif 000018
【図１７】
2007041609.tif 000019
【図１８】
2007041609.tif 000020
【図１９】
2007041609.tif 000021
【図２０】
2007041609.tif 000022
【図２１】
2007041609.tif 000023
【図２２】
2007041609.tif 000024
【図２３】
2007041609.tif 000025
【図２４】
2007041609.tif 000026
【図２５】
2007041609.tif 000027
【図２６】
2007041609.tif 000028
【図２７】
2007041609.tif 000029
【図２８】
2007041609.tif 000030
【図２９】
2007041609.tif 000031
【図３０】
2007041609.tif 000032
【図３１】
2007041609.tif 000033
【図３２】
2007041609.tif 000034
【図３３】
2007041609.tif 000035
【図３４】
2007041609.tif 000036
【図３５】
2007041609.tif 000037
【図３６】
2007041609.tif 000038
【図３７】
2007041609.tif 000039
【図３８】
2007041609.tif 000040
【図３９】
2007041609.tif 000041
【図４０】
2007041609.tif 000042
【図４１】
2007041609.tif 000043
【図４２】
2007041609.tif 000044
【図４３】
2007041609.tif 000045
【図４４】
2007041609.tif 000046
【図４５】
2007041609.tif 000047
【図４６】
2007041609.tif 000048
【図４７】
2007041609.tif 000049
【図４８】
2007041609.tif 000050
【図４９】
2007041609.tif 000051
【図５０】
2007041609.tif 000052